(57)【特許請求の範囲】
【請求項１】
対象物に取り付けられるタグ本体内部に、電源と、警報装置と、これら電源と警報装置とを接続する警報回路と、該警報回路に接続され前記タグ本体が前記対象物から離反したのを検知する検知スイッチとを有し、前記警報回路に接続されて前記タグ本体の外部に延びる盗難検知用のケーブルを有する盗難防止タグに使用され、盗難防止タグの前記検知スイッチを押圧した状態でタグ本体が取り付けられる取付台と、該取付台の取付面に形成され前記盗難検知用のケーブルが挿通される曲線的又は折線的な溝状のケーブル挿通路とを有することを特徴とする盗難防止タグの取付台。
【請求項２】
前記取付台の底面側に、取付台のタグ本体取付面とほぼ平行に、金属板を固定したことを特徴とする請求項１記載の盗難防止タグの取付台。
【請求項３】
前記ケーブル挿通路が、前記検知スイッチの検知部を少なくとも２方から囲うようにケーブル挿通路に配策されることを特徴とする請求項１又は２に記載の盗難防止タグの取付台。
【請求項４】
対象物に取り付けられるタグ本体内部に、電源と、警報装置と、これら電源と警報装置とを接続する警報回路と、該警報回路に接続され前記タグ本体が前記対象物から離反したのを検知する検知スイッチとを有し、前記警報回路に接続されて前記タグ本体の外部に延びる盗難検知用のケーブルを有する盗難防止タグと、該盗難防止タグの前記検知スイッチを押圧した状態でタグ本体が取り付けられる取付台と、該取付台の取付面に形成され前記盗難検知用のケーブルが挿通される曲線的又は折線的な溝状のケーブル挿通路とを有することを特徴とする盗難防止装置。
【請求項５】
第１対象物に取り付けられ、内部に、電源と、警報装置と、これら電源と警報装置とを接続する警報回路と、該警報回路に接続され前記第１対象物が離反したのを検知する第１検知スイッチとを有し、前記警報回路に接続されて外部に延びる盗難検知用のケーブルを有する第１タグ本体と、第２対象物に取り付けられるために前記ケーブルに設けられた第２タグ本体と、該第２タグ本体に設けられ第２タグ本体内のケーブルと電気的に接続し、第２タグ本体が前記第２対象物から離反したのを検知する第２検知スイッチと、前記第１検知スイッチ又は第２検知スイッチを押圧した状態で前記第１タグ本体又は第２タグ本体が取り付けられる取付台と、該取付台に形成され前記盗難検知用のケーブルが挿通される曲線的又は折線的な溝状のケーブル挿通路とを有することを特徴とする盗難防止装置。
【請求項６】
前記ケーブル挿通路が、前記検知スイッチの検知部を少なくとも２方から囲うようにケーブル挿通路に配策されることを特徴とする請求項４又は５に記載の盗難防止装置。
【発明の詳細な説明】
【０００１】
【発明の属する技術分野】
本発明は、商店等において、商品や商品見本などの展示品を盗難から防止する盗難防止装置、及び、盗難防止タグを固定するための取付台に関する。
【０００２】
【従来の技術】
カメラや家電製品などは、万引き等の被害を受けやすい。そのため、最近では、盗難防止タグを使用することが多くなってきている。図７は従来の盗難防止タグ１０の斜視図である。この図に示す盗難防止タグ１０は、タグ本体１１の内部に、電源となる電池、プリント配線基板からなる警報回路等を有している。そして、この警報回路に接続するものとして、盗難検知用のケーブル１２、盗難を検知する検知スイッチ１３、セット用スイッチ１４、警報装置となるブザー１５などが外部からも見えるように設けられている。
【０００３】
上記の盗難検知用のケーブル１２の先端はループ１２ａになっており、この例では、検知スイッチ１３及びセット用スイッチ１４は、ともにプッシュ式のスイッチが使用されている。
【０００４】
図８は使用状態を示す図である。上記の盗難防止タグ１０を使用するには、まず、ケーブル１２を商品の陳列棚などに立設された固定バー３の回りに一回りさせた後、先端のループ１２ａにタグ本体１１を通過させ、固定バー３と盗難防止タグ１０とを結合する。固定バー３は、その両端が棚や壁等に固定されているので、ケーブル１２を固定バー３の長手方向に移動してバーの端部から抜き去ることはできない。次に、セット用スイッチ１４を押してセットした後、タグ本体１１を、商品５に両面テープなどで貼付して固定する。タグ本体１１の下面から突出していた検知スイッチ１３は、商品５の固定面５ａによって押し込まれ、警報装置がセット状態になる。
【０００５】
盗難者が商品５からタグ本体１１を剥がすと、この盗難検知スイッチ１３が突出して警報回路がＯＮとなり、ブザー１５が警報を発する。また、タグ本体１１を商品５に固定したままの状態で、盗難検知用ケーブル１２を切断して持ち去ろうとすると、図示しないケーブルスイッチがＯＮとなりケーブル１２の切断を検知してやはりブザー１５が警報を発する。
【０００６】
しかしながら、上記の盗難防止タグ１０は、商品５に直接両面テープなどで貼り付けるので、タグ本体１１を剥がした痕跡が商品に付き、これが粘着性であることから、ごみや埃が付着して商品を汚してしまう。また、商品５が電気製品のようにタグの貼付に適した平らで硬い固定面を有している必要があり、鞄等のように適当な固定面がない商品には、使用できない。
【０００７】
図９は、このような問題を解決するものとして、出願人が、特願平９−２１２６７号において、提案した盗難防止タグ１０及びその取付台２を示す図である。盗難防止タグ１０は、図７に示すものと同じもので、それに取付台２を付加している。この取付台２は、タグ本体１１より若干大きい板からなり、この板の両端に適当な大きさの孔２ａ，２ａを開け、これらを縫うようにケーブル１２を挿通して使用する。
【０００８】
この後、図１０に示すように、ケーブル１２のループ１２ａを固定バー３に巻き付けてループ１２ａ内にタグ本体１１を挿通してから、タグ本体１１を鞄４の取手４ａにくぐらせ、取付台２に取り付ける。ケーブル１２はタグ本体１１と取付台２との間に挟まれるようにする。
【０００９】
【発明が解決しようとする課題】
しかし、上記の取付台２は、ケーブル１２を一方の孔２ａから他方の孔２ａまで直線的に通すので、図１１に示すように、カッターナイフ６などで、取付台２をスイッチ１３とケーブル１２の中間で切断すると、取付台２の半分２′はタグ本体１１から外れるが、半分２″はタグ本体１１に付いてスイッチ１３を押した状態を維持し、しかも、ケーブル１２は切断されずにタグから離れてしまい、これを鞄の取手４ａをくぐらせれば、簡単に鞄４を持ち去ることができることになる。
【００１０】
本発明は、このような事実から考えられたもので、取付台を切断して盗難されるのを確実に防止できる盗難防止装置と盗難防止タグの取付台とを提供することを目的としている。
【００１１】
【課題を解決するための手段】
上記の目的を達成する本発明の盗難防止タグの取付台は、対象物に取り付けられるタグ本体内部に、電源と、警報装置と、これら電源と警報装置とを接続する警報回路と、該警報回路に接続され前記タグ本体が前記対象物から離反したのを検知する検知スイッチとを有し、前記警報回路に接続されて前記タグ本体の外部に延びる盗難検知用のケーブルを有する盗難防止タグに使用され、盗難防止タグの前記検知スイッチを押圧した状態でタグ本体が取り付けられる取付台と、該取付台の取付面に形成され前記盗難検知用のケーブルが挿通される曲線的又は折線的な溝状のケーブル挿通路とを有することを特徴としている。
【００１２】
または、前記取付台の底面側に、取付台のタグ本体取付面とほぼ平行に、金属板を固定した構成としたり、前記ケーブル挿通路が、前記検知スイッチの検知部を少なくとも２方から囲うようにケーブル挿通路に配策される構成とすることができる。
【００１３】
また、本発明の盗難防止装置は、対象物に取り付けられるタグ本体内部に、電源と、警報装置と、これら電源と警報装置とを接続する警報回路と、該警報回路に接続され前記タグ本体が前記対象物から離反したのを検知する検知スイッチとを有し、前記警報回路に接続されて前記タグ本体の外部に延びる盗難検知用のケーブルを有する盗難防止タグと、該盗難防止タグの前記検知スイッチを押圧した状態でタグ本体が取り付けられる取付台と、該取付台の取付面に形成され前記盗難検知用のケーブルが挿通される曲線的又は折線的な溝状のケーブル挿通路とを有することを特徴としている。
【００１４】
あるいは、第１対象物に取り付けられ、内部に、電源と、警報装置と、これら電源と警報装置とを接続する警報回路と、該警報回路に接続され前記第１対象物が離反したのを検知する第１検知スイッチとを有し、前記警報回路に接続されて外部に延びる盗難検知用のケーブルを有する第１タグ本体と、第２対象物に取り付けられるために前記ケーブルに設けられた第２タグ本体と、該第２タグ本体に設けられ第２タグ本体内のケーブルと電気的に接続し、第２タグ本体が前記第２対象物から離反したのを検知する第２検知スイッチと、前記第１検知スイッチ又は第２検知スイッチを押圧した状態で前記第１タグ本体又は第２タグ本体が取り付けられる取付台と、該取付台に形成され前記盗難検知用のケーブルが挿通される曲線的又は折線的な溝状のケーブル挿通路とを有することを特徴としている。
【００１５】
前記ケーブル挿通路が、前記検知スイッチの検知部を少なくとも２方から囲うようにケーブル挿通路に配策される構成としてもよい。
【００１６】
【発明の実施の形態】
以下に本発明に実施例を図面によって説明する。図１は本発明の盗難防止タグの取付台の図で、（ａ）は上面図、（ｂ）は（ａ）のＢ−Ｂ線断面図である。本発明の取付台２１は、周縁にリブ２１ａが形成されたほぼ直方体形状で、リブ２１ａに囲まれた面２１ｂは平面で、盗難防止タグのタグ本体１１又は後述する第２タグ本体のいずれかが丁度はまりこむ大きさと形状のほぼ平面状の取付面２１ｂとなっている。
【００１７】
そして、この取付面２１ｂには、ケーブル１２が挿入される溝状のケーブル挿通路２１ｃが取付面からほぼ垂直に穿設されている。また、このケーブル挿通路２１ｃは、取付台２１を図１（ａ）の左右方向に貫通し、かつ、曲線的形状、より具体的には蛇行するように形成されている。取付面２１ｂ上に仮装線で示す丸２１ｄは、盗難防止タグを取付面２１ｂに両面テープ等で固定した場合に、検知スイッチ１３の検知部（先端）１３ａが当接する位置を示すものである。検知スイッチ１３が光スイッチの場合は、この検知部は取付面上の検知スイッチ１３と対向する位置となる。そして、挿通路２１ｃは、検知部１３ａが当接する位置２１ｄを図１（ａ）の左右と上の３方から囲うように形成されている。また、ケーブル挿通路２１ｃの底部近くには、突起２１ｅが形成されていて、ケーブル挿通路２１ｃの底まで押し込まれたケーブル１２の浮き上がりを押さえる。
【００１８】
図２は挿通路２１ｃの別の形態を示す図である。図２（ａ）は検知部１３ａが当接する位置２１ｄを上方と右方の２方のみから囲うようにしている。図２（ｂ）は検知部が当接する位置２１ｄをコ字状に左右と上の３方から折線状の挿通路２１ｃで囲っている。このように、挿通路２１ｃは、曲線に限定されず、また、検知部を少なくとも２方向から囲うものであればよい。
【００１９】
図３は、本発明の盗難防止装置２０を示す図である。本発明の盗難防止装置は、従来の盗難防止タグ１０のケーブル１２の先端にループ１２ａを形成せずに、第２タグ本体２２を設け、ケーブル１２に取付台２１を取り付けた構成となっている。すなわち、第１タグ本体１１には、第１検知スイッチ１３が取り付けられ、第２タグ本体２２とケーブル１２で電気的に接続している。第２タグ本体２２には、プッシュ式の第２検知スイッチ２３が設けられ、この両端はケーブル１２に接続されている。さらに、ケーブル１２の中間には取付台２１がそのケーブル挿通路２１ｃにケーブル１２を蛇行するように挿通して係止されている。取付台２１は図１に示したのと同じで、ここでは、第２タグ本体２２が取り付けられる大きさとなっている。
【００２０】
図４は図３の盗難防止装置を使用している状態を示す図である。取付台２１には、予め、上述したように、そのケーブル挿通路２１ｃにケーブル１２を挿通しておく。第１タグ本体１１は第１対象物としての商品棚４０に両面テープ等の固定手段で貼り付けられる。第２タグ本体２２は、鞄４の取手４ａをくぐらせてから、取付台２１にやはり、両面テープ等の固定手段で貼り付けられる。以上によって、鞄４を商品棚４０につなぎ止めることができる。このとき、第２タグ本体２２がケーブル挿通路２１ｃの全部、又はその大部分を覆い、外部からケーブル１２が見えないようになる。
【００２１】
万引きしようとするものが、第１タグ本体１１を商品棚４０から剥がすと第１検知スイッチ１３が突出して警報が鳴る。ケーブル１２を切断しても、同様に警報が鳴る。第２タグ本体２２を取付台２１から剥がすと、第２検知スイッチ２３が突出し、ケーブル１２が切断されたのと同じ状態となって警報が鳴る。
【００２２】
次に、取付台２１を図１１で説明したようにカッターナイフ６等で切断しようとしても、ケーブル１２は図１又は図２に示すように第２検知スイッチ２３の２方又は３方に配策されているので、ケーブル１２を切断することなく取付台２１を２つに切断し、かつ、第２検知スイッチ２３を押した状態に保持することができない。特に、ケーブル挿通路２１ｃを第２タグ本体２２で覆って外側から見ることができないようにしてあるので、取付台２１をケーブル挿通路２１ｃに沿ってカッターで切断することもできない。
【００２３】
上記の実施例では取付台２１と第２タグ本体２２とを貼り合わせているが、取付台２１の大きさを変えることによって、第１タグ本体１１と貼り合わせることも可能である。その場合、第２タグ本体２２を商品棚４０に固定することになる。なお、取付台２１とタグ本体１１，２２との大きさをほぼ一致させると、ケーブル挿通路内のケーブル１２が覆われ、全く見えなくなるが、必ずしも、挿通路内のケーブル全体を覆う必要はなく、ケーブル１２の蛇行の形状が分からなくなる程度に覆っておけばよい。
【００２４】
図５は、取付台２１を図７に示す従来例の盗難防止タグ１０のケーブル１２に取り付けて使用した場合の様子を示す図である。このように、本発明の取付台は、従来の盗難防止タグに使用することもできる。なお、この図５に示す盗難防止装置と、図３に示す盗難防止装置との比較であるが、図５の盗難防止装置に比べ、図３の盗難防止装置の方が、ループ１２ａを使用しないことから、使用可能な範囲を拡大することができる。
【００２５】
図６は、本発明の取付台の他の実施例を示す図である。この実施例では取付台５０を合成樹脂の射出成型で成型している。そして、成型の際に、取付台５０の底面側に、タグ本体の取付面５０ｂとほぼ平行に、金属板５１を取り付けている。金属板５１としては、鉄板やアルミ板等のカッターナイフでは簡単に切断できないものを使用する。また、金属板５１には、碁盤目状に多数の孔５１ａを開けておき、これを射出成型機の金型内にセットする。そして、射出成型をすれば、碁盤目状の孔から樹脂が突出し、先端が丸くつぶされて金属板５１の抜け落ちを防止することができる。
【００２６】
なお、図６の実施例では、ケーブル挿通路５０ｃを側面から見てＬ字形にしている。この挿通路５０ｃでは、ケーブル１２が取付台５０を真っ直ぐに通ることになるが、金属板５１があるので、ナイフ等で切断されることはない。また、図６の実施例の金属板を図１のケーブル挿通路が蛇行する実施例に併せて使用してもよい。
【００２７】
【発明の効果】
以上に説明したように、本発明の盗難防止装置によれば、タグ本体を取付台に取り付け、該取付台に形成されたケーブル挿通路と、を有し、上記ケーブルが上記検知スイッチの検知部を少なくとも２方から囲うようにケーブル挿通路に配策されているので、取付台をナイフ等で切断すれば、必ずケーブルを切断することになり、警報が確実に作動して、盗難を防止できる。取付台のタグ本体取付面とほぼ平行に、金属板を固定しても、ナイフで取付台を切断することができなくなり、盗難を確実に防止できることになる。
【図面の簡単な説明】
【図１】  本発明の盗難防止タグの取付台の構成を示す図で、（ａ）は上面図、（ｂ）は（ａ）のＢ−Ｂ断面図である。
【図２】  ケーブルの挿通路の他の実施例を示す図である。
【図３】  本発明の盗難防止装置の斜視図である。
【図４】本発明の盗難防止装置の使用状態を示す斜視図である。
【図５】  本発明の他の盗難防止装置の使用状態を示す斜視図である。
【図６】  本発明の盗難防止タグの他の実施例を示す図で、（ａ）は底面図、（ｂ）は側面図である。
【図７】  従来の盗難防止タグを斜視図である。
【図８】  図７の盗難防止タグの使用状態を示す図である。
【図９】  従来の盗難防止タグの取付台を示す図である。
【図１０】  従来の盗難防止タグの取付台の使用状態を示す図である。
【図１１】  従来の盗難防止タグの取付台を切断した状態を示す図である。
【符号の説明】
１１    第１タグ本体
１２    ケーブル
１２ａ    ループ
１３    （第１）検知スイッチ
１５    警報装置
２１，５０    取付台
２１ｃ，５０ｃ    ケーブル挿通路
２１ｂ，５０ｂ    タグ本体取付面
２２    第２タグ本体
２３    （第２）検知スイッチ
５１    金属板
【図１】
0003908388.tif 000002
【図２】
0003908388.tif 000003
【図３】
0003908388.tif 000004
【図４】
0003908388.tif 000005
【図５】
0003908388.tif 000006
【図６】
0003908388.tif 000007
【図７】
0003908388.tif 000008
【図８】
0003908388.tif 000009
【図９】
0003908388.tif 000010
【図１０】
0003908388.tif 000011
【図１１】
0003908388.tif 000012